(57)【特許請求の範囲】
【請求項１】
予約された放送を受信して記録装置に記録する放送受信装置において、
放送を受信する放送受信手段と、
外部から接続された記録媒体から個人認証情報の記録有無を検出する個人認証情報検出手段と、
前記個人認証情報検出手段で外部から接続された記録媒体から個人認証情報が検出されなかった場合は予め設定された中から選択される複数の個人認証情報に係る個人情報を表示する表示手段と、
前記表示手段で表示された個人情報の中から選択された個人に係る個人認証情報を前記記録媒体に記録する個人認証情報記録手段と、
前記記録媒体に記録された個人認証情報と関連付けて放送の受信予約が設定される受信予約設定手段と、
前記設定された予約に基づいて前記放送受信手段を介して放送を受信し、受信された放送を記録装置に記録する記録手段とを備えることを特徴とする放送受信装置。
【請求項２】
前記表示手段が表示する個人認証情報の候補は、前記情報記録媒体の整理番号であることを特徴とする請求項１記載の放送受信装置。
【請求項３】
前記表示手段が表示する個人認証情報の候補は、ユーザに与えられる称号であることを特徴とする請求項１記載の放送受信装置。
【請求項４】
前記表示手段は、前記個人認証情報を文字入力する入力手段を含むことを特徴とする請求項１記載の放送受信装置。
【請求項５】
前記個人認証情報記録手段は、前記個人認証情報に対応する画像を設定する画像設定手段を含むことを特徴とする請求項１記載の放送受信装置。
【請求項６】
前記画像設定手段が設定する画像は、前記個人認証情報が与えられるユーザの写真画像であることを特徴とする請求項５記載の放送受信装置。
【請求項７】
前記個人認証情報が与えられるユーザの写真画像は、前記放送受信装置の操作を行うリモコン装置に内蔵されているカメラユニットから供給されたものであることを特徴とする請求項６記載の放送受信装置。
【請求項８】
前記個人認証情報が記録された前記情報記録媒体が接続されると、前記個人認証情報に対応付けて記録済みの画像情報の一覧画面を表示するための表示信号を生成する手段を更に有することを特徴とする請求項１記載の放送受信装置。
【請求項９】
前記一覧画面により表示された前記記録済の画像情報を、選択的に再生し又は編集する手段を更に有することを特徴とする請求項８記載の放送受信装置。
【請求項１０】
外部から接続された記録媒体から個人認証情報の記録有無を検出し、
前記記録媒体から個人認証情報が検出されなかった場合は予め設定された中から選択される複数の個人認証情報に係る個人情報を表示し、
前記表示された個人情報の中から選択された個人に係る個人認証情報を前記記録媒体に記録し、
前記記録媒体に記録された個人認証情報と関連付けて放送受信予約を設定し、
前記設定された予約に基づいて放送を受信し、受信された放送を記録装置に記録することを特徴とする放送受信方法。
【発明の詳細な説明】
【０００１】
【発明の属する技術分野】
この発明は、放送受信装置に関し、特に個人認証のための情報記録媒体を用いる放送受信装置及び放送受信方法に関する。
【０００２】
【従来の技術】
最近、デジタル機器の普及が進み、ハードディスクなど記録媒体を搭載する録画装置は、現在ＶＴＲ（Video Tape Recorder）に代わって、多くのユーザによって使用できる環境に代わりつつある。
【０００３】
このような環境下においては、大容量記録媒体であっても記憶容量は有限であるため、画像を録画し続けていくと、いつかは容量不足に陥り、更に録画するためには、蓄積されている録画データを消去して容量を確保することになる。
【０００４】
このときに、ユーザ本人が録画したデータについては、必要か否か判断できるが、他のユーザが録画したデータは判断できないため、他ユーザの録画データを消去してしまうことや、他ユーザによって消去されてしまう場合がある。
【０００５】
このような不具合の対策の技術としては、機器に対し一定の視聴者に対してだけアクセスを可能とすることで、番組の消去や視聴を制限するデジタルテレビ放送受信装置を示す例がある（例えば、特許文献１，特許文献２参照）。
【０００６】
【特許文献１】
特開２００１−９４９２８号公報。
【０００７】
【特許文献２】
特開２００２−２３２８２０号公報。
【０００８】
【発明が解決しようとする課題】
しかし、これらの従来技術では、固有の視聴者情報や、暗証番号を入力することにより録画情報へのアクセスが可能となる例が挙がっているが、固有の視聴者情報や暗証番号を、ユーザがそのつど入力しなければならず、年配者や女性、幼年者も含めた家庭用機器であるべき放送受信装置としては、使い勝手のよいものではないという問題がある。
【０００９】
本発明は、上記問題に鑑み、メモリカード等を放送受信装置に接続するだけで対話画面により容易に個人認証情報を設定することができる放送受信装置及び放送受信方法を提供することを目的とする。
【００１０】
【課題を解決するための手段】
本発明は、予約された放送を受信して記録装置に記録する放送受信装置において、放送を受信する放送受信手段と、外部から接続された記録媒体から個人認証情報の記録有無を検出する個人認証情報検出手段と、前記個人認証情報検出手段で外部から接続された記録媒体から個人認証情報が検出されなかった場合は予め設定された中から選択される複数の個人認証情報を表示する表示手段と、前記表示手段で表示された中から選択された個人認証情報を前記記録媒体に記録する個人認証情報記録手段と、前記記録媒体に記録された個人認証情報と関連付けて放送の受信予約が設定される受信予約設定手段と、前記設定された予約に基づいて前記放送受信手段を介して放送を受信し、受信された放送を記録装置に記録する記録手段とを備えることを特徴とする放送受信装置である。
【００１１】
本発明によれば、メモリカード等の情報記録媒体を放送受信装置本体に接続するだけで、もし、個人認証情報（以下、ＩＤ（IDentification））が検出されなければ、ＩＤを設定するためのＩＤ候補を挙げた選択画面を表示するための画像信号を生成して、外部テレビ装置等に表示させる。ユーザは、対話形式の選択画面でリモコン等で操作することにより、極めて容易にＩＤカードを取得することができる。以降は、このＩＤカードを接続した上で予約操作を行ったり、自分の録画済画像情報のリストを表示させて、再生させたり削除させることが可能となる。これにより、従来あった煩雑な個人認証番号の打ち込みや、暗証番号のその都度の入力操作を行うことなく、装置の操作に不案内な女性や幼年者であってもメモリカードの接続だけで容易に個人認証処理を伴う画像予約や再生・編集を可能とするものである。
【００１２】
【発明の実施の形態】
以下、図面を参照してこの発明の実施形態の一例である放送受信装置を詳細に説明する。図１は、本発明に係る放送受信装置の構造の一例を示すブロック図である。
【００１３】
＜本発明に係る放送受信装置＞
（構成）
本発明に係る放送受信装置Ｒは、図１に示すように、アンテナＡ（デジタル放送の受信を伴う場合はパラボラアンテナ）に接続され、放送信号を選局し復調して少なくともビデオ信号とオーディオ信号とを供給するレシーバ部１２を有している。このレシーバ部１２は、放送信号に重畳されるＥＰＧ情報（放送番組情報）を分離抽出するＥＰＧ検出機能を備えるものであってもよい。更に、インターネット等からＥＰＧ情報を取得する通信部１４を備えていてもよい。放送受信装置Ｒは、更に、ハードディスクドライブ部１５、又は、光ディスクＤから読み出されるオーディオ・ビデオ信号をそれぞれデコードするビデオ部１７、オーディオ部１８を有するデコーダ部１３と、外部等から与えられる信号をエンコードして記録するエンコーダ部１３とを有している。更に、放送受信装置Ｒは、エンコーダ・デコーダ部に接続され、これらのエンコードされたビデオ・音声信号を録画するハードディスクドライブ部１５と、ＤＶＤ（Digital Versatile Disk）−ＲＡＭ（Random Access Memory）などの光ディスクＤに記録し再生するためのディスクドライブ部１６と、全体の動作を司る制御部１１とを有している。この制御部１１は、更に、設定する個人認証情報であるＩＤを発行し管理するＩＤ発行管理部１９と、このＩＤに対応させて録画予約情報を生成し管理する録画予約管理部２０、更に、このＩＤに対応させて記録データを管理する記録データ管理部２１を有している。更に、ＩＤが記録されるＩＣカード等のメモリカード２５が装填され管理データ等の送受信を行うカードインタフェース２２と、外部のリモコン２６とのデータの送受信を行うリモコンインタフェース２３と、各種設定画面を表示するための表示信号を生成する表示部２４とを有している。
又、リモコン２６は、ＣＣＤカメラユニット２７を有しており、更に、図示しないメモリカードインタフェース、放送受信装置に接続されるシリアルケーブルを接続するためのシリアルケーブル接続部をそれぞれ有している。
（放送受信装置の動作）
上述した放送受信装置Ｒは、以下のように、受信動作、録画動作、再生動作、及び後に詳述する録画予約動作を行う。すなわち、受信動作においては、図示しないコントロールパネルやリモコンからの操作に応じて、制御部１１の制御下において、アンテナＡから供給される放送信号をレシーバ部１２により選局し復調して、少なくともオーディオ信号とビデオ信号とをデコーダ部１３に供給する。
デコーダ部１３では、適切な補正処理や増幅処理を行った後に、出力端子を介して外部装置へと供給する。
更に、録画動作においては、同様に制御部１１の制御下において、外部から与えられるビデオ信号・オーディオ信号、又は、レシーバ部１２から供給される放送信号に応じるビデオ信号・オーディオ信号等をエンコード部１３によりエンコードして、ハードディスクドライブ１５、又は、ＤＶＤ−ＲＡＭ等の光ディスクＤへと録画処理を行う。
又、更に、再生動作においては、ハードディスクドライブ１５、又は、ＤＶＤ−ＲＡＭ等の光ディスクＤに記録されているコンテンツ信号を読み出し、更に、これをエンコード部で復号することで、ビデオ信号・オーディオ信号へと変換する。そして、適切な補正処理や増幅処理を行った後に、出力端子を介して外部装置へと供給する。
本発明に係る放送受信装置Ｒにおいては、更に、予め与えられた放送チャンネル情報や放送時間情報に基づいて行う予約録画を行うことができる。すなわち、図示しないオペレーションパネルやリモコンのユーザの操作により、録画予約モードを呼び出し、録画すべき放送チャンネル、録画開始時刻と録画終了時刻、録画される記憶媒体（例えば、ハードディスクドライブ部１５の領域、又は、光ディスクＤ等）、録画レート（高画質、並画質等）等が録画予約管理部２０に与えられることで行われる。又、更に、レシーバ部１２にＥＰＧ検出部を設けた場合は、デジタル放送信号から抽出したＥＰＧ情報、又は通信部１４を介してインターネット等から取得したＥＰＧ情報を利用して、容易に録画予約を行うことができる。
（ＩＤ設定動作）
次に、本発明に係るＩＤ設定動作をフローチャートを用いて詳細に説明する。図２は、本発明に係る放送受信装置におけるＩＤを情報記録媒体に設定する設定動作の一例を説明するフローチャートである。
【００１４】
本発明に係る放送受信装置Ｒにおいては、録画予約や録画済画像情報の再生や編集等の管理を行う権限を与えるＩＤを、メモリカード等の情報記録媒体に設定し、以降は、このＩＤが設定されたメモリカード（以降、ＩＤカードと呼ぶ）を用いて、録画予約やＩＤ付き記録画像情報の再生や編集（削除を含む）を行うものである。これにより、複数のユーザにより一台の放送受信装置を共有して録画予約を行っている場合でも、不用意に他ユーザにより自分の録画した画像情報が削除されるということを回避することができる。
このＩＤカードの設定は、対話形式の操作画面上で容易に行うことができ、装置の操作に不案内な女性や幼年者であっても手軽に行うことができる。図２において、ユーザの操作によりメモリカード２５がカードインタフェース２２に装填されると（Ｓ１１）、制御部１１のＩＤ発行管理部１９の働きにより、メモリカード２５にＩＤ情報が記録されているかどうかが判断され（Ｓ１２）、もし、これが検出できなければ、ＩＤ発行の選択画面であるＩＤ発行画面を、例えば本発明に係る放送受信装置Ｒに接続されている図示しないテレビジョン装置に表示するべく、表示信号を表示部２４が生成する（Ｓ１３）。
【００１５】
この選択画面であるＩＤ発行画面は様々な形態が考えられ、この例が図４乃至図６に示される。すなわち、図４においては、ＩＤが記録されていないメモリカード２５が装填された後に表示される画面として表示されるもので、個人認証情報としてのＩＤの候補３１，……，３１が示されており、これは、複数のメモリカード２５の整理番号である。これらは、管理可能な数だけ表示させ、例えば、ＮＯ．１が今回の設定動作により使用されれば、次回の表示は、ＮＯ．２以降の整理番号が表示されることとなる。
【００１６】
又、このとき、更に、ＩＤに対応するＪＰＥＧ等の画像情報３２を添付することも好適である（Ｓ１４）。これにより、各ユーザは自分のＩＤに対する認識を深めることが可能となり、他ユーザとの混乱を防止することができる。これらの画像情報は、例えば、ユーザの写真画像であることが好適であり、更に、図４に示すように他のイメージ画像３２を利用することも可能である。
更に、このような画像情報は、例えば、上述した操作のためのリモコン２６に設けられたＣＣＤカメラユニット２７を利用するものであってもよい。この場合は、ＣＣＤカメラユニット２７から取得したデジタル写真画像情報を、リモコン送信するか、又は、シリアルケーブルでリモコン２７と放送受信装置Ｒとの間で接続して供給するものであってもよい。又、更に、図示しないリモコン２６のカードインタフェースを介して、メモリカード２６に取得したデジタル写真画像情報を記録させ、これを再び放送受信装置Ｒのカードインタフェース２２を介して供給してもよい。
又、更に、例えば、既に撮影した写真画像を、上述した通信部１４を介してインターネットを経由してｅ−ｍａｌｅに添付して放送受信装置Ｒに送信することで、ＩＤに対応付ける写真画像を取得するものであってもよい。
ユーザが図４のＩＤ発行画面に応じて、例えば、ＩＤをＮＯ．１とし、自分の写真画像３２を選択すると、少なくともＩＤ情報（又は写真画像情報も同時に）がメモリカード２５に記録される（Ｓ１５）。更に、記録されたＩＤやこれに添付された画像情報は、ＩＤ発行管理部１９等に記録され管理されることとなる。
これにより、そのユーザのＩＤが設定されたメモリカード２５が発行されたこととなる。
【００１７】
以降は、ユーザは、このメモリカード２５をカードインタフェース２２に装填するだけで、個人認証が行われることとなり、ＩＤカードに記録された個人認証情報を読み取り、この情報がＩＤ発行管理部１９に存在するかどうかを判断し、存在すれば個人認証がなされたとみなす。その後、例えば、メモリカード２５が記録しているＩＤ情報に応じた録画予約を行うことができる（Ｓ１６）。すなわち、このＩＤに対応付けられて特定の番組の録画予約を行うことができ、この録画予約により予約録画された画像情報はＩＤに対応されて録画予約管理部２０により管理されることとなる（Ｓ１７）。
・他のＩＤ発行画面
図４に示す以外にも図５に示すように、ＩＤの候補として、整理番号だけではなく、ユーザの称号の候補３３をあげることも好適である。すなわち、図５に示すように、『パパ、ママ、ボク、ワタシ、……』、『父、母、祖母、祖父、僕、私、……』、『おじいちゃん、おばあちゃん、おとうさん、おかあさん、おにいちゃん、おねえちゃん、ぼく、わたし、……』等の家族の一般的な称号を予めＩＤ発行管理部１９にて用意しておいてこれを呼び出し、表示部２４において、表示画像のための表示信号を生成し外部のテレビ装置等に出力する。ユーザはこれを選択することにより、識別信号としては十分に効果的なＩＤを容易な操作で与えることが可能となる。この場合にも、画像情報を対応付けることができることは同様である。
更に、図６においては、文字情報を、例えば、図示しない『あいうえお一覧画面』等からリモコン２６のキー操作により特定して、これをＩＤ候補として使用する場合を示している。すなわち、ユーザのリモコン２６等のキー操作等によりこれを与えるものであり、一層確実なＩＤの発行が可能となる。
（ＩＤカードによる操作）
次に、このようにして発行したＩＤカードを使用した、記録済み画像情報の編集操作等を図３のフローチャートを用いて説明する。
ＩＤカード２５がカードインタフェース２２に装填されると（Ｓ１１）、ＩＤカード２５にＩＤが記録されているかが確認され（Ｓ１２）、確認できなければ、図２のフローチャートと同様のプロセスでＩＤが発行される（Ｓ１３〜Ｓ１５）。ＩＤ情報が確認されれば、ＩＤ発行管理部１９により記録済みのＩＤであることを確認し、更に、このＩＤに対応する録画済画像情報のハードディスクドライブ部１５等における有無が記録データ管理部２１により確認される。その結果、例えば、４つの録画済画像情報の存在が確認できれば、これらの録画済画像情報の諸情報を図７に示すような一覧画面により表示するべく、表示信号を表示部２４にて生成する。このとき、ＩＤに対応する画像情報３２（ＩＤ発行管理部１９に格納されている、又は、メモリカード２５に格納されている）を一覧画面に合わせて表示することが好適であり、ユーザは、メモリカードが自分のＩＤカードであることを容易に理解することができる。
この一覧画面では、この場合の文字入力されたＩＤである『山田太郎』に対応した、画像情報の各タイトルや、チャンネル、日付、時間、そして、再生済みであるか等の履歴情報等が同時に一覧表示される（Ｓ２１）。これにより、ユーザは、所望の録画済画像情報を選択して再生するなり、録画済画像情報の一部を削除する等の編集をするなり、又は、更に録画を行うために空容量を増やすべく、画像情報を削除するという操作が可能となる（Ｓ２２）。更に、ＩＤカードを有していない他ユーザは、この画像情報を呼び出すことができないため、他ユーザが誤ってこれを削除したり再生するという不具合を回避することができる。
【００１８】
このように、本発明に係る放送受信装置Ｒにおいては、メモリカード２５をカードスロット等のカードインタフェース２２に装填するだけで、ＩＤが発行されていない場合、自動的に図４乃至図６に示すようなＩＤ発行画面が表示されることとなり、更に、ユーザはＩＤ候補や候補画像を選択するだけで、容易にＩＤカードを発行することが可能となる。これにより、従来装置であったようなそのつど認証情報を打ち込んだり、暗号情報を入力するとの煩雑な操作がなくなるため、装置の操作に不慣れな幼年者等であっても認証処理を伴う画像情報の予約処理や管理処理を容易に行うことが可能となる。
又、図１で示すレシーバ部１２にＥＰＧ検出部１２を設けた場合、ユーザＩＤごとにキーワードを入力し、このキーワードに対応する番組情報を自動検索し、これに応じた自動録画を行うことが可能となる。この場合、ユーザＩＤ毎の録画画像情報は大量に蓄積されることとなり、ＩＤ毎の管理を行うことが必要となる。本発明による容易なＩＤカード発行処理によれば、機器の操作に不案内なユーザであっても簡単にＩＤカードによるＩＤごとの蓄積画像情報の管理が可能となるものである。
【００１９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００２０】
例えば、上述した説明では、情報記録媒体としてＩＣカード等のメモリカードを例にとって説明したが、情報記録媒体は、他のものであってもかまわなく、例えば、非接触ＩＣモジュールである非接触ＩＣチップをもつ無線タグであることも好適である。この場合は、インタフェースに無線タグを近づけるだけでアクセスが可能であり、より一層の容易なＩＤ発行処理や認証処理、録画予約や管理処理が可能なシステムを提供することができる。
【００２１】
【発明の効果】
以上詳述したように本発明によれば、非常に容易な操作によりＩＤカードを発行しこれを用いた録画予約処理や録画情報の管理処理が可能な放送受信装置及び放送受信方法を提供することができる。
【図面の簡単な説明】
【図１】  本発明に係る放送受信装置の構造の一例を示すブロック図。
【図２】  本発明に係る放送受信装置における、ＩＤを情報記録媒体に設定する設定動作の一例を説明するフローチャート。
【図３】  本発明に係る放送受信装置における、ＩＤが設定された情報記録媒体を用いて行う編集等の処理動作の一例を説明するフローチャート。
【図４】  本発明に係る放送受信装置における、ＩＤを情報記録媒体に設定する際の設定画面の一例を示す図。
【図５】  本発明に係る放送受信装置における、ＩＤを情報記録媒体に設定する際の設定画面の他の一例を示す図。
【図６】  本発明に係る放送受信装置における、ＩＤを情報記録媒体に設定する際の設定画面の他の一例を示す図。
【図７】  本発明に係る放送受信装置における、ＩＤが設定された情報記録媒体を用いて記録済み画像情報を表す一覧画面の一例を示す図。
【符号の説明】
Ｒ…デジタル放送記録装置、Ａ…アンテナ、１２…レシーバ部、１３…エンコーダ・デコーダ部、１４…通信部、１５…ハードディスクドライブ部、１６…ディスクドライブ部、１７…ビデオ部、１８…オーディオ部、１９…ＩＤ発行管理部、２０…録画予約管理部、２１…記録データ管理部、２２…カードインタフェース、２３…リモコンインタフェース、２４…表示部、２５…メモリカード。
【図１】
0003708922.tif 000002
【図２】
0003708922.tif 000003
【図３】
0003708922.tif 000004
【図４】
0003708922.tif 000005
【図５】
0003708922.tif 000006
【図６】
0003708922.tif 000007
【図７】
0003708922.tif 000008